(57)【要約】【課題】複数チャンネルのＯＦＤＭ信号を一括受信し、その信号から１セグメント部分受信階層のみを抽出し連結することが可能であり、比較的簡単な構造で、装置が小型かつ、その消費電力とコストが小さい中継装置を提供する。【解決手段】中継装置は、ＯＦＤＭ方式の複数チャンネルの放送波信号を、受信部１０で一括受信し、周波数変換部２０と、アナログ−デジタル変換部３０とを介して複数チャンネルのデジタル信号に変換した後、抽出・連結部４０に出力する。抽出・連結部４０では、窓関数乗算部４１で窓関数を乗算し、フーリエ変換部４２でチャンネル毎の部分受信用信号を抽出する。続いて、デジタル周波数変換部４３−１〜４３−Ｎを経て、合成部４４で、部分受信用信号のみで構成される１チャンネルのデジタル信号を生成し、デジタル−アナログ変換部５０と、第２の周波数変換部６０と、送信部７０を介して、送信アンテナから再送信する。【選択図】      図１
2008283297.tif 000002
【特許請求の範囲】
【請求項１】
それぞれ直交周波数分割多重（ＯＦＤＭ：Orthogonal Frequency Division Multiplexing）方式により伝送データが多重され、伝送周波数帯域内に部分受信用の周波数帯域を有する複数チャンネルの放送信号を中継する中継装置において、
前記複数チャンネルの放送信号を一括して受信する受信部と、
前記受信された複数チャンネルの放送信号を規定の周波数帯の信号に変換する第１の周波数変換部と、
前記規定の周波数帯に変換された複数チャンネルの放送信号をそれぞれデジタル信号に変換するアナログ−デジタル変換部と、
前記複数チャンネルのデジタル信号から、各チャンネルにおける前記部分受信用の周波数帯域の信号を部分受信用信号として抽出して、チャンネル毎の部分受信用信号に分割する信号分割部と、
前記チャンネル毎の部分受信用信号をそれぞれ前記チャンネル間で互いに周波数帯域が連続するように変換する複数のデジタル周波数変換部と、
前記連続した周波数帯に周波数変換された前記チャンネル毎の部分受信用信号それぞれを連結して送信チャンネルを再構成する再構成部と、
前記再構成された送信チャンネルのデジタル信号をアナログ信号に変換するデジタル−アナログ変換部と、
前記アナログ信号を規定の送信周波数に周波数変換する第２の周波数変換部と、
前記送信周波数の再構成信号を規定の送信レベルで送信する送信部と
を具備することを特徴とする中継装置。
【請求項２】
前記受信部は、前記複数チャンネルの放送信号が光信号によって伝送されるとき、さらに前記光信号を光電変換して前記複数チャンネルの放送信号を取り出す光電変換部を備えることを特徴とする請求項１記載の中継装置。
【請求項３】
前記信号分割部は、
前記アナログ−デジタル変換部から出力される複数チャンネルのデジタル信号をチャンネル数と同数の系統に分割し、当該分割された複数系統のデジタル信号それぞれに、各チャンネルの部分受信用の周波数帯域に相当する窓関数を乗算する窓関数乗算部と、
前記窓関数をそれぞれ乗じられた複数チャンネルのデジタル信号をフーリエ変換することで、前記複数チャンネルのデジタル信号からチャンネル毎の部分受信用信号をそれぞれ抽出する第１のフーリエ変換部と
を具備することを特徴とする請求項１記載の中継装置。
【請求項４】
前記再構成部は、
前記チャンネル毎の部分受信用信号それぞれをフーリエ変換し、サブキャリア毎の信号に変換する複数の第２のフーリエ変換部と、
前記サブキャリア毎の信号うち、再送信に必要なサブキャリアの信号のみを選択する複数のサブキャリア選択部と、
前記複数のサブキャリア選択部で選択された複数のサブキャリアの信号を逆フーリエ変換し、時系列の１つの送信チャンネルのデジタル信号に変換する逆フーリエ変換部と
を具備することを特徴とする請求項１記載の中継装置。
【請求項５】
前記再構成部は、前記複数チャンネルの放送信号それぞれがガードインターバル部を有するとき、
前記デジタル周波数変換部で周波数変換されたチャンネル毎の部分受信用信号それぞれからガードインターバル部を除去するガードインターバル除去部と、
前記ガードインターバルが除去されたチャンネル毎の部分受信用信号それぞれをフーリエ変換し、サブキャリア毎の信号に変換する複数の第２のフーリエ変換部と、
前記サブキャリア毎の信号うち、再送信に必要なサブキャリアの信号のみを選択する複数のサブキャリア選択部と、
前記複数のサブキャリア選択部で選択された複数のサブキャリアの信号を逆フーリエ変換し、時系列の１つの送信チャンネルのデジタル信号に変換する逆フーリエ変換部と、
前記１つの送信チャンネルのデジタル信号にガードインターバル部を付加するガードインターバル付加部と
を具備することを特徴とする請求項１記載の中継装置。
【請求項６】
それぞれ直交周波数分割多重（ＯＦＤＭ：Orthogonal Frequency Division Multiplexing）方式により伝送データが多重され、伝送周波数帯域内に部分受信用の周波数帯域を有する複数チャンネルの放送信号を中継する中継装置に用いられる部分受信用信号抽出・連結方法において、
前記複数チャンネルの放送信号を一括して受信し、
前記受信された複数チャンネルの放送信号を規定の周波数帯の信号に変換し、
前記規定の周波数帯に変換された複数チャンネルの放送信号をそれぞれデジタル信号に変換し、
前記複数チャンネルのデジタル信号から、各チャンネルにおける前記部分受信用の周波数帯域の信号を部分受信用信号として抽出して、チャンネル毎の部分受信用信号に分割し、
前記チャンネル毎の部分受信用信号をそれぞれ前記チャンネル間で互いに周波数帯域が連続するように周波数変換し、
前記連続した周波数帯に周波数変換された前記チャンネル毎の部分受信用信号それぞれを連結して送信チャンネルを再構成し、
前記再構成された送信チャンネルのデジタル信号をアナログ信号に変換し、
前記アナログ信号を規定の送信周波数に周波数変換し、
前記送信周波数の再構成信号を規定の送信レベルで送信することを特徴とする部分受信用信号抽出・連結方法。
【請求項７】
前記複数チャンネルの放送信号が光信号によって伝送されるとき、さらに前記光信号を光電変換して前記複数チャンネルの放送信号を取り出すことを特徴とする請求項６記載の部分受信用信号抽出・連結方法。
【請求項８】
前記複数チャンネルのデジタル信号からのチャンネル毎の部分受信用信号それぞれの分割は、
前記アナログ−デジタル変換部から出力される複数チャンネルのデジタル信号をチャンネル数と同数の系統に分割し、当該分割された複数系統のデジタル信号それぞれに、各チャンネルの部分受信用の周波数帯域に相当する窓関数を乗算し、
前記窓関数をそれぞれ乗じられた複数チャンネルのデジタル信号をフーリエ変換することで行うことを特徴とする請求項６記載の部分受信用信号抽出・連結方法。
【請求項９】
前記送信チャンネルの再構成は、
前記チャンネル毎の部分受信用信号それぞれをフーリエ変換することにより、サブキャリア毎の信号に変換し、
前記サブキャリア毎の信号うち、再送信に必要なサブキャリアの信号のみを選択し、
前記選択された複数のサブキャリアの信号を逆フーリエ変換することにより、時系列の１つの送信チャンネルのデジタル信号に変換することを特徴とする請求項６記載の部分受信用信号抽出・連結方法。
【請求項１０】
前記送信チャンネルの再構成は、前記複数チャンネルの放送信号それぞれがガードインターバル部を有するとき、
前記チャンネル間で互いに周波数帯域が連続するように周波数変換されたチャンネル毎の部分受信用信号それぞれからガードインターバル部を除去し、
前記ガードインターバルが除去されたチャンネル毎の部分受信用信号それぞれをフーリエ変換することにより、サブキャリア毎の信号に変換し、
前記サブキャリア毎の信号うち、再送信に必要なサブキャリアの信号のみを選択し、
前記選択された複数のサブキャリアの信号を逆フーリエ変換することにより、時系列の１つの送信チャンネルのデジタル信号に変換し、
前記１つの送信チャンネルのデジタル信号にガードインターバル部を付加することを特徴とする請求項１記載の部分受信用信号抽出・連結方法。
【発明の詳細な説明】
【技術分野】
【０００１】
本発明は、部分受信用信号を含み、直交周波数分割多重（Orthogonal Frequency Division Multiplexing：ＯＦＤＭ）方式によって映像・音声・データの番組情報が多重された放送信号を受信し、そのうち部分受信用信号のみを抽出して再送信する中継装置及び、部分受信用信号抽出・連結方法に関する。
【背景技術】
【０００２】
現在、日本の地上デジタルテレビジョン放送では、ＩＳＤＢ−Ｔ（Integrated Services Digital Broadcasting for Terrestrial）と呼ばれる放送方式が標準化方式として採用されている。このＩＳＤＢ−Ｔ方式では、伝送周波数帯域を複数のセグメントに分割し、その内の特定の１セグメントを部分受信用信号の伝送帯域に割り当てて、移動受信に適した方式で提供するようにした、いわゆるワンセグ放送とよばれる部分受信が可能である。ワンセグ放送は、携帯電話や携帯受像機によっていつでもどこでも視聴可能であることから、気象情報や地震情報などの緊急放送等に優れた効果を発揮することができる。
【０００３】
この機能性を利用し、上記地上デジタルテレビジョン放送では、そのサービスの一形態として、全放送局の１セグメント部分受信階層のみを抽出・連結して再送信するユビキタス・エマージェンシー・ギャップフィラーシステムが提案されている（例えば、非特許文献１参照。）。このギャップフィラーシステムは、全放送局数に相当する１チャンネル用の受信部を並列に配置し、これら受信部それぞれで、必要とされる信号成分を抽出し、再構成部で、抽出した信号成分を連結して再構成することにより実現可能である。
【０００４】
しかしながら、このギャップフィラーシステムを実現するには、全放送局数に相当する１チャンネル用の受信部が必要となるため、配線の煩雑化、装置の大型化、消費電力の増大、コストの増大が問題となっている。
【０００５】
また、上記地上デジタルテレビジョン放送システムでは、デジタル放送信号をチャンネル毎に受信し、受信したデジタル放送信号を構成する複数のセグメントの中からチャンネル毎に少なくとも１つのセグメントを選択し、これらを連結して放送信号を再送信する中継装置も提案されている（例えば、特許文献１参照。）。しかしながら、この装置においても、放送信号をチャンネル毎に受信しているため、チャンネル数に相当する受信部が必要となり、配線の煩雑化、装置の大型化、消費電力の増大、コストの増大の要因となっている。
【非特許文献１】ユビキタスエマージェンシーギャップフィラーシステム、http://www.soumu.go.jp/s-news/2006/pdf/060606_1_073.pdf
【特許文献１】特開２００６−１０９２８３号公報
【発明の開示】
【発明が解決しようとする課題】
【０００６】
以上のように、ＩＳＤＢ−Ｔ方式による地上デジタルテレビジョン放送システムにあっては、複数チャンネルのＯＦＤＭ信号を受信し、受信したＯＦＤＭ信号それぞれから１セグメント部分受信階層のみを抽出・連結する中継装置が提案されているが、チャンネル毎にＯＦＤＭ信号を受信するための受信部が必要となるため、中継装置の大型化、その構造の複雑化及び、消費電力とコストの増大を招いてしまっていた。
【０００７】
そこで、本発明の目的は一括受信された複数チャンネルのＯＦＤＭ信号からそれぞれ部分受信階層のみを効率的に抽出・連結することができ、比較的簡単な構造で、装置の小型化及び、その消費電力とコストの縮小が実現可能な中継装置及び、部分受信用信号抽出・連結方法を提供することにある。
【課題を解決するための手段】
【０００８】
上記目的を達成するため、本発明は、それぞれ直交周波数分割多重（ＯＦＤＭ：Orthogonal Frequency Division Multiplexing）方式により伝送データが多重され、伝送周波数帯域内に部分受信用の周波数帯域を有する複数チャンネルの放送信号を中継する中継装置において、前記複数チャンネルの放送信号を一括して受信する受信部と、前記受信された複数チャンネルの放送信号を規定の周波数帯の信号に変換する第１の周波数変換部と、前記規定の周波数帯に変換された複数チャンネルの放送信号をそれぞれデジタル信号に変換するアナログ−デジタル変換部と、前記複数チャンネルのデジタル信号から、各チャンネルにおける前記部分受信用の周波数帯域の信号を部分受信用信号として抽出して、チャンネル毎の部分受信用信号に分割する信号分割部と、前記チャンネル毎の部分受信用信号をそれぞれ前記チャンネル間で互いに周波数帯域が連続するように変換する複数のデジタル周波数変換部と、前記連続した周波数帯に周波数変換された前記チャンネル毎の部分受信用信号それぞれを連結して送信チャンネルを再構成する再構成部と、前記再構成された送信チャンネルのデジタル信号をアナログ信号に変換するデジタル−アナログ変換部と、前記アナログ信号を規定の送信周波数に周波数変換する第２の周波数変換部と、前記送信周波数の再構成信号を規定の送信レベルで送信する送信部とを具備する。
【０００９】
上記構成による中継装置では、ＯＦＤＭ方式で変調された複数チャンネルの放送波信号を、受信部で一括受信し、周波数変換部及び、アナログ−デジタル変換部を経ることにより、複数チャンネルのデジタル信号に変換し、信号分割部に出力する。そして、信号分割部で、複数チャンネルのデジタル信号を、部分受信可能な周波数帯域を持つ部分受信用信号にチャンネル毎に分割する。続いて、デジタル周波数変換部で、チャンネル毎の部分受信用信号をそれぞれ前記チャンネル間で互いに周波数帯域が連続するように周波数変換し、再構成部で、このチャンネル毎の部分受信用信号それぞれを連結して１チャンネルのデジタル信号に再構成する。そして、この部分受信用信号のみで構成される１チャンネルのデジタル信号を、デジタル−アナログ変換部及び、第２の周波数変換部を経ることにより、送信部から再送信する。上記構成により、信号分割部で、複数チャンネルのデジタル信号からチャンネル毎の部分受信用信号を効率的に抽出でき、再構成部で、抽出した部分受信用信号を連結し、１チャンネルのデジタル信号とすることが可能となる。
【発明の効果】
【００１０】
本発明では、複数チャンネルのＯＦＤＭ信号を一括受信し、その信号から１セグメント部分受信階層のみを効率的に抽出・連結することが可能であり、また、中継装置の構造の簡単化、装置の規模の小型化及び、その消費電力とコストの縮小が実現する。
【発明を実施するための最良の形態】
【００１１】
以下、図面を参照しながら本発明の実施の形態について説明する。
【００１２】
（第１の実施形態）
図１は、本発明の第１の実施形態として、ＩＳＤＢ−Ｔ方式の地上デジタルテレビジョン放送システムに用いられる中継装置の概略構成を示すブロック図である。図１において、受信部（ＲＸ）１０は、受信アンテナを通じて地上デジタル放送に割り当てられている伝送周波数帯域の信号を一括受信する。この受信信号には、複数チャンネルの放送信号が含まれており、各チャンネルの放送信号は、周波数変換部２０で中間周波数（ＩＦ：Intermediate Frequency）帯に変換された後、アナログ−デジタル変換部（Ａ／Ｄ）３０でデジタル信号に変換される。アナログ−デジタル変換部３０で得られた複数チャンネルのデジタル信号は、抽出・連結部４０に送られ、チャンネル毎に部分受信階層の信号が抽出されて、１チャンネルのデジタル信号に連結される。この部分受信階層のみで構成される１チャンネルのデジタル信号は、デジタル−アナログ変換部５０でアナログ信号に変換され、第２の周波数変換部（ＴＸ）６０で所定の送信周波数帯に周波数変換され、送信部７０で所定の送信レベルに電力増幅されて送信アンテナから再送信される。
【００１３】
上記抽出・連結部４０は、アナログ−デジタル変換部３０で得られた複数チャンネルのデジタル信号を入力すると、窓関数乗算部４１において、チャンネル数と同数の系統に分割し、分割された系統毎に、互いに異なるチャンネルのデジタル信号の部分受信用信号を抽出するための窓関数を乗算してフーリエ変換部４２に出力する。フーリエ変換部４２は、窓関数が乗算された各系統のデジタル信号をそれぞれＦＦＴ（Fast Fourier Transform：高速フーリエ変換）によって周波数軸上の信号に変換し、チャンネル毎に部分受信階層から部分受信用信号を抽出してフーリエ変換出力端子に出力する。こうして分割出力された各チャンネルの部分受信用信号は、デジタル周波数変換部４３−１〜４３−Ｎでチャンネル間で互いに周波数帯域が連続するように周波数変換され、合成部４４で連結されて、デジタル−アナログ変換部５０に出力される。
【００１４】
上記フーリエ変換部４２は、窓関数が乗算された複数チャンネル分のデジタル信号をＦＦＴすることで、各チャンネルの部分受信用信号をフーリエ変換端子に出力している。このとき、ｍ番目の端子のＦＦＴ出力は、  
【数１】
2008283297.tif 000003
【００１５】
となる。ここで、Ｉｉｎ（ｋ）は入力信号成分、Ｗｉｎ（ｋ）は窓関数成分、ｆは周波数、ｆｓはデジタル部のサンプリング周波数、ＮはＦＦＴのサイズである。式（１）より、ＦＦＴの出力は通常のＦＦＴ出力をｍ／Ｎだけ周波数シフトしたものになる。つまり、ＦＦＴ端子ｍとＦＦＴサイズＮとを適当に設定することにより、周波数軸上の任意の位置のＦＦＴ出力を得ることが可能となる。例えば、上記パラメータを以下のように設定すると、  
ｍ＝６３×ｎ  （ｎは整数）  
ｆｓ＝６×５１２／６３  ＭＨｚ  
Ｎ＝５１２  
となり、式（１）は、  
ｆ／ｆｓ−ｍ／Ｎ＝ｆ／（６×５１２／６）−（６３×ｎ）／５１２  
＝２１×（ｆ−６×ｎ）／１０２４                              （５）  
となる。これにより、ＦＦＴ出力は、６３の倍数毎に周波数が６ＭＨｚだけシフトしたものになるので、日本のデジタルテレビジョンの仕様であるＩＳＤＢ−Ｔ方式による各チャンネルの信号を別々に抽出することができる。
【００１６】
さらに、窓関数の係数を中心周波数ｆ０、帯域Ｗ０（１チャンネル部分受信階層の帯域に等しい帯域）とし、サンプリング周波数ｆｓを適当に選ぶことにより、複数チャンネル分のデジタル信号から１チャンネルの部分受信用信号のみを抽出することが可能となる。
【００１７】
上記デジタル周波数変換部４３−１〜４３−Ｎは、各チャンネルの部分受信用信号を、局部発振器４５−１〜４５−Ｎで発生される局部発振信号とミキシングすることにより、チャンネル間で互いに周波数帯域が連続するように周波数変換する。このとき、各チャンネルの部分受信用信号は、合成される際にさらなる周波数変換が不必要となるように、予め指定された周波数帯域に周波数変換される。  図２は、本発明の第１の実施形態に係る合成部４４の機能構成を示すブロック図である。図２において、上記合成部４４は、デジタル周波数変換部４３−１〜４３−Ｎからの信号それぞれを、ＧＩ（Guard Interval：ガードインターバル）除去部４４１−１〜４４１−Ｎで地上デジタル放送信号の特徴であるガードインターバル成分を除去し、第２のフーリエ変換部４４２−１〜４４２−Ｎでサブキャリア毎の信号に変換する。このとき、第２のフーリエ変換部４４２−１〜４４２−Ｎから出力されるサブキャリア毎の信号には、窓関数では十分に落としきれない部分受信階層近傍にある部分受信階層以外の信号も含まれている。合成部４４は、サブキャリア選択部（ＳＥＬ）４４３−１〜４４３−Ｎで、サブキャリア毎の信号から必要なサブキャリアのみを選択し、部分受信階層信号以外の信号に由来するサブキャリアを除去する。続いて、サブキャリア選択部４４３−１〜４４３−Ｎそれぞれからの出力を所定の順番で連結できるように配置を変更した後、逆フーリエ変換部（ＩＦＦＴ）４４４でＯＦＤＭ方式の信号に再び変換し、ＧＩ付加部４４５でガードインターバルを付加してデジタル−アナログ変換部５０へ出力する。
【００１８】
次に、上記構成の抽出・連結部４０におけるデジタル信号の処理を詳細に説明する。図３は、本発明の第１の実施形態に係る抽出・連結部４０におけるデジタル信号の処理を示す概念図である。図３（ａ）は図１におけるＡ点でのデジタル信号の周波数成分を示し、図３（ｂ）は図１におけるＢ−１点及びＢ−２点でのデジタル信号の周波数成分を示し、図３（ｃ）は図１におけるＣ−１点及びＣ−２点でのデジタル信号の周波数成分を示し、図３（ｄ）は図１におけるＤ点でのデジタル信号の周波数成分を示す。
【００１９】
まず、抽出・連結部４０に入力される複数チャンネルの放送信号は、図３（ａ）に示すように、いずれのチャンネルも帯域内にある信号成分全てがそのまま保存されている。窓関数乗算部４１では、複数チャンネルのデジタル信号をチャンネル相当数の系統に分割し、分割された系統毎に、互いに異なるチャンネルの放送信号に部分受信用階層を抽出するための窓関数を乗算する。フーリエ変換部４２では、複数系統に分割され、窓関数が乗じられた信号を周波数軸上の信号に変換する。これにより、複数チャンネルの放送信号は、図３（ｂ）に示すように、チャンネル毎に分割され、かつ各チャンネルにおいて窓関数で与えられた帯域通過特性により部分受信階層のみとなる。この結果、チャンネル毎の部分受信用信号として出力される。チャンネル毎の部分受信用信号は、図３（ｃ）に示すように、デジタル周波数変換部４３−１〜４３−Ｎで互いに周波数帯が連続するように周波数変換される。周波数変換された部分受信用信号は、図３（ｄ）に示すように、合成部４４で連結され、各チャンネルの部分受信用信号のみから構成される１チャンネルのデジタル信号となり出力される。
【００２０】
以上のように、上記第１の実施形態における中継装置は、抽出・連結部４０において、複数チャンネルのデジタル放送信号を、チャンネル毎の部分受信用信号に分割してそれぞれの部分受信用信号が所定の周波数になるように周波数変換し、部分受信用信号のみのチャンネルのデジタル信号となるように合成する。このように、窓関数の係数の最適化とＦＦＴの採用により、複数チャンネルのデジタル放送信号から部分受信用信号を効率的に抽出し、抽出した部分受信用信号を連結することが可能となる。
【００２１】
また、合成部４４において、部分受信用信号のガードインターバルを除去し、ガードインターバルが除去された部分受信用信号をフーリエ変換してサブキャリア毎の信号に変換し、サブキャリア毎の信号から必要なサブキャリアのみを選択した後、ＯＦＤＭ方式の信号に再び変換し、ガードインターバルを付加する。このとき、フーリエ変換部４２において部分受信階層のみを抽出しているため、第２のフーリエ変換部４４２−１〜４４２−Ｎでは、ＦＦＴのサイズを１チャンネル分より十分小さく（１／１０以下）することが可能となる。
【００２２】
したがって、複数チャンネルのＯＦＤＭ信号から１セグメントの部分受信階層のみを効率的に抽出し、連結することが可能となるため、中継装置の小型化、構造の簡単化及び、その消費電力とコストの縮小が可能となる。また、第２のフーリエ変換部４４２−１〜４４２−ＮにおけるＦＦＴのサイズを１チャンネル分より十分小さくすることが可能であるため、合成部４４の規模を小さくすることが可能となり、中継装置の回路規模の更なる縮小が可能である。
【００２３】
なお、上記第１の実施形態では、デジタル周波数変換部４３−１〜４３−Ｎで各チャンネルの部分受信用信号を所定の周波数に変換する例について説明したが、このデジタル周波数変換部４３−１〜４３−Ｎに代えてそれぞれの出力系統に直交復調部を設置し、各チャンネルの部分受信用信号を直交復調し、Ｉ信号、Ｑ信号からなる複素ベースバンド信号に変換する場合でも実施可能である。ただし、この場合、合成部４４は、Ｉ信号及びＱ信号で別々に必要であり、加えて、デジタル−アナログ変換部５０の手前に直交変調部を設置し、デジタル−アナログ変換部５０からの出力を直交変調し、ＩＦ帯の信号に戻す必要がある。
【００２４】
（第２の実施形態）
図４は、本発明の第２の実施形態に係る中継装置の概略構成を示すブロック図である。なお、図４において、図１と同一部分には同一符号を付して示し、ここでは重複する説明を省略する。
【００２５】
図４における中継装置では、図１における中継装置と異なり、放送波を直接受信せず、光ファイバ８０により光信号として伝送される放送波信号を、光−電気変換部（Ｏ／Ｅ）９０で一旦電気信号に変換する。
【００２６】
以上のような構成により、本実施形態の中継装置は、地下街、トンネル、地下鉄駅構内などいわゆる不感地帯において、既設の光ファイバを用いて、ＲＯＦ（Radio_on_Fiber）技術によりアナログ無線信号を直接光信号で変調して伝送する場合にも適用することが可能となる。
【００２７】
なお、本発明は上記下記実施形態に限定されるものではない。本発明は実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００２８】
【図１】本発明に係る中継装置の第１の実施形態の構成を示すブロック図。
【図２】上記第１の実施形態の合成部の機能構成を示すブロック図。
【図３】上記第１の実施形態の抽出・連結部におけるデジタル信号の処理を示す概念図。
【図４】本発明に係る中継装置の第２の実施形態の構成を示すブロック図。
【符号の説明】
【００２９】
１０…受信部、２０…周波数変換部、３０…アナログ−デジタル変換部、４０…抽出・連結部、４１…窓関数乗算部、４２…フーリエ変換部、４３…デジタル周波数変換部、４４…合成部、４４１−１〜４４１−Ｎ…ＧＩ除去部、４４２−１〜４４２−Ｎ…第２のフーリエ変換部、４４３−１〜４４３−Ｎ…サブキャリア選択部、４４４…逆フーリエ変換部、４４５…ＧＩ付加部、４５−１〜４５−Ｎ…局部発振器、５０…デジタル−アナログ変換部、６０…第２の周波数変換部、７０…送信部、８０…光ファイバ、９０…光−電気変換部。
【図１】
2008283297.tif 000004
【図２】
2008283297.tif 000005
【図３】
2008283297.tif 000006
【図４】
2008283297.tif 000007